(57)【要約】    【課題】      記録媒体の劣化や高密度化等によって再生した同期信号にビットずれ等が生じても、同期信号を検出して、タイミング信号を生成すること。    【解決手段】  同期信号検出回路８では、同期検波回路７から同期信号のウォブルパターンが入力されると、第１同期パターン比較部１４が第１記憶部１１に記憶された同期信号と同じ第１同期パターンと比較をする。第２同期パターン比較部１５は第２記憶部１２に記憶された同期信号の各パターンに対し時間的揺らぎを有するが一のパターンに特定される第２同期パターンと比較する。同期信号判定部１７は、その比較結果と、前回までの比較結果に基づく同期状態判定部２０における同期状態判定結果とに基づいて同期信号検出を判定する。タイミング信号生成部１８は、同期信号判定部１７や同期状態安定部２０からの判定出力に基づいてタイミング信号を生成して出力する。  【選択図】        図１
2006164490.tif 000002
【特許請求の範囲】
【請求項１】
記録媒体上に所定ブロック毎に記録された異なるパターンの複数の同期信号を順次再生し、前記複数の同期信号を検出する同期信号検出装置であって、
前記複数の同期信号の各パターンと同じ複数の第１同期パターンを記憶した第１の記憶部と、
前記複数の同期信号の各パターンに対し時間的揺らぎを有し、かつ、前記複数の同期信号の各パターンのうち一のパターンに特定される第２同期パターンを記憶した第２の記憶部と、
前記同期信号と前記第１同期パターンまたは前記第２同期パターンとを比較して、前記第１同期パターンまたは前記第２同期パターンの一と一致する場合、同期信号検出と判定する同期信号判定部と、
を有する同期信号検出装置。
【請求項２】
請求項１記載の同期信号検出装置において、
さらに、前記複数の同期信号の各パターンに対し時間的揺らぎを有し、かつ、前記複数の同期信号の各パターンのうち二以上の同期パターンに特定される第３同期パターンを記憶した第３の記憶部を有し、
前記同期信号判定部は、
前記同期信号が前記第１同期パターンまたは前記第２同期パターンの一と一致しない場合、前記同期信号を前記第３同期パターンと比較して、前記同期信号が前記第３同期パターンの一と一致する場合、当該一致する一の第３同期パターンが前記同期信号の次に検出されると想定される同期信号の時間的揺らぎパターンである場合、同期信号検出と判定する、
ことを特徴とする同期信号検出装置。
【請求項３】
請求項１記載の同期信号検出装置において、
さらに、前記同期信号判定部における前記同期信号検出結果に基づいて同期ロック状態にあるか、同期はずれ状態にあるかを判定する同期状態判定部を有し、
前記同期信号判定部は、
前記同期状態判定部により同期ロック状態にあると判定された場合、前記同期信号と前記第１同期パターンまたは前記第２同期パターンとを比較して、前記同期信号が前記第１同期パターンまたは前記第２同期パターンの一と一致する場合、前記同期信号検出と判定する、
ことを特徴とする同期信号検出装置。
【請求項４】
請求項２記載の同期信号検出装置において、
さらに、前記同期信号判定部における前記同期信号検出結果に基づいて同期ロック状態にあるか、同期はずれ状態にあるかを判定する同期状態判定部を有し、
前記同期信号判定部は、
前記同期状態判定部により同期ロック状態にあると判定された場合、前記同期信号を前記第１同期パターン、前記第２同期パターン、または前記第３同期パターンと比較して、前記同期信号が前記第１同期パターンまたは前記第２同期パターンの一と一致する場合、および前記第３同期パターンの一と一致し、かつ、当該一致する一の第３同期パターンが前記同期信号の次に検出されると想定される同期信号の時間的揺らぎパターンである場合、前記同期信号検出と判定する、
ことを特徴とする同期信号検出装置。
【請求項５】
請求項３または請求項４記載の同期信号検出装置において、
さらに、
前記同期状態判定部からの同期ロック状態判定出力と、前記同期信号判定部からの前記同期信号検出判定出力とに基づいて、前記複数の同期信号に続くデータを読み取るためのタイミングを示すタイミング信号を生成して出力するタイミング信号生成部を有する、
ことを特徴とする同期信号検出装置。
【請求項６】
請求項３または請求項４記載の同期信号検出装置において、
前記同期信号判定部は、
前記同期状態判定部により同期ロック状態にあると判定された場合、前記同期信号を前記第１同期パターンと比較して、前記第１同期パターンと一致する場合、前記同期信号検出と判定する一方、前記第１同期パターンと一致しない場合、前記同期信号を前記第２同期パターンと比較して、前記第２同期パターンと一致する場合、前記同期信号検出と判定する、
ことを特徴とする同期信号検出装置。
【請求項７】
請求項３または請求項４記載の同期信号検出装置において、
前記同期信号判定部は、
前記同期状態判定部により同期はずれ状態にあると判定された場合、前記同期信号を前記第１同期パターンと比較して、前記第１同期パターンと一致する場合、前記同期信号検出と判定する一方、前記第１同期パターンと一致しない場合、前記同期ロック状態をリセットする、
ことを特徴とする同期信号検出装置。
【請求項８】
請求項３または請求項４記載の同期信号検出装置において、
前記同期信号判定部は、
前記同期状態判定部により同期はずれ状態にあると判定された場合、さらに、前記同期信号が未検出であるか否かを判定し、前記同期信号が未検出である場合、前記同期信号を前記第１同期パターンと比較する一方、
前記同期はずれ状態にて前記同期信号が未検出でない場合、前記同期信号を前記第１同期パターンと比較して、前記第１同期パターンと一致する場合、前記同期信号検出と判定する一方、前記第１同期パターンと一致しない場合、前記同期信号を前記第２同期パターンと比較する、
ことを特徴とする同期信号検出装置。
【請求項９】
請求項１〜８いずれか一の請求項に記載の同期信号検出装置において、
前記記録媒体とは、光記録媒体であり、
前記複数の同期信号は、ウォブルの形態で前記光媒体に記録されている、
ことを特徴とする同期信号検出装置。
【請求項１０】
請求項１〜９いずれか一の請求項に記載の同期信号検出装置において、
前記同期状態判定部は、
前記同期信号判定部における前記同期信号検出結果に基づいて、所定数連続して同期信号が検出された場合、同期ロック状態と判定する一方、所定数連続して同期信号が未検出の場合、同期はずれ状態と判定する
ことを特徴とする同期信号検出装置。
【請求項１１】
請求項１〜９いずれか一の請求項に記載の同期信号検出装置において、
前記同期状態判定部は、
前記同期信号判定部における前記同期信号検出結果に基づいて、所定時間内で所定数の同期信号が検出された場合、同期ロック状態と判定する一方、所定時間内に所定数以上の同期信号が未検出の場合、同期はずれ状態と判定する
ことを特徴とする同期信号検出装置。
【請求項１２】
請求項１〜９いずれか一の請求項に記載の同期信号検出装置において、
前記同期状態判定部は、
前記同期信号判定部における前記同期信号検出結果に基づいて、所定時間内で所定数の同期信号が検出された場合、同期ロック状態と判定する一方、所定数連続して同期信号が未検出の場合、同期はずれ状態と判定する
ことを特徴とする同期信号検出装置。
【請求項１３】
請求項３または請求項４記載の同期信号検出装置において、
前記同期信号判定部は、
前記同期状態判定部により同期ロック状態にあると判定された場合、および前記同期はずれ状態にあるが前記同期信号が未検出である場合、前記同期信号を前記第１同期パターンと比較し、前記第１同期パターンと一致しない場合、さらに前記第２同期パターンと比較し、前記第２同期パターンと一致する場合、前記同期信号検出と判定する、
ことを特徴とする同期信号検出装置。
【請求項１４】
請求項１または請求項２記載の同期信号検出装置において、
前記同期信号判定部は、
前記同期信号検出結果に基づいて１以上の同期信号を検出しているか否かを判定し、１以上の同期信号を検出していると判定した場合、前記同期信号と前記第１同期パターンまたは前記第２同期パターンとを比較して、前記同期信号が前記第１同期パターンまたは前記第２同期パターンの一と一致する場合、前記同期信号検出と判定する、
ことを特徴とする同期信号検出装置。
【請求項１５】
請求項３記載の同期信号検出装置において、
前記同期信号判定部は、
前記同期状態判定部により同期ロック状態にあると判定された場合、および前記同期はずれ状態にあるが前記同期信号が未検出である場合、前記同期信号を前記第１同期パターンと比較し、前記第１同期パターンと一致しない場合、さらに前記第２同期パターンと比較し、前記第２同期パターンと一致しない場合、前記同期信号検出と未検出と判定する、
ことを特徴とする同期信号検出装置。
【請求項１６】
請求項３または請求項４記載の同期信号検出装置において、
前記同期状態判定部は、
前記同期信号判定部における前記同期信号検出結果に基づいて、所定数連続して、または所定時間以内に所定数以上の同期信号が検出された場合、同期ロック状態と判定する一方、それ以外の場合を同期はずれ状態と判定する
ことを特徴とする同期信号検出装置。
【請求項１７】
記録媒体上に所定ブロック毎に記録された異なるパターンの複数の同期信号を順次再生し、前記複数の同期信号を検出する同期信号検出方法であって、
前記同期信号を前記複数の同期信号の各パターンと同じ複数の第１同期パターンと比較して一致する第１同期パターンがあるか否かを判定する第１の比較判定ステップと、
前記同期信号と前記第１同期パターンとの比較の結果、前記同期信号が前記第１同期パターンと一致しない場合、前記同期信号を前記複数の同期信号の各パターンに対し時間的揺らぎを有し、かつ、前記複数の同期信号の各パターンのうち一のパターンに特定される第２同期パターンと比較して一致する第２同期パターンがあるか否かを判定する第２の比較判定ステップと、
前記第１の比較判定ステップおよび第２の比較判定ステップによる比較判定の結果、前記同期信号が前記第１同期パターンまたは前記第２同期パターンの一と一致する場合、同期信号検出と判定する同期信号判定ステップと、
を有する同期信号検出方法。
【請求項１８】
請求項１７記載の同期信号検出方法において、
さらに、第１の比較判定ステップおよび第２の比較判定ステップによる比較判定の結果、前記同期信号が前記第１同期パターンまたは前記第２同期パターンの一と一致しない場合、前記同期信号を前記複数の同期信号の各パターンに対し時間的揺らぎを有し、かつ、前記複数の同期信号の各パターンのうち二以上の同期パターンに特定される第３同期パターンと比較して一致する第３同期パターンがあるか否かを判定する第３の比較判定ステップ部とを有し、
前記同期信号判定ステップは、
前記第３の比較判定ステップによる比較判定の結果、前記同期信号が前記第３同期パターンの一と一致し、かつ、当該一致する一の第３同期パターンが前記同期信号の次に検出されると想定される同期信号の時間的揺らぎパターンである場合、同期信号検出と判定する、
ことを特徴とする同期信号検出方法。
【請求項１９】
請求項１６記載の同期信号検出方法において、
さらに、前記同期信号判定ステップにおける前記同期信号検出結果に基づいて同期ロック状態にあるか、同期はずれ状態にあるかを判定する同期状態判定ステップを有し、
前記同期状態判定ステップにより同期ロック状態にあると判定された場合、前記第１の比較判定ステップに移行し、前記同期信号と前記第１同期パターンとの比較の結果、前記同期信号が前記第１同期パターンの一と一致する場合、前記同期信号判定ステップは、前記同期信号検出と判定する一方、前記同期信号が前記第１同期パターンの一と一致しない場合、前記第２の比較判定ステップに移行する、
ことを特徴とする同期信号検出方法。
【請求項２０】
請求項１８記載の同期信号検出方法において、
さらに、前記同期信号判定ステップにおける前記同期信号検出結果に基づいて同期ロック状態にあるか、同期はずれ状態にあるかを判定する同期状態判定ステップを有し、
前記同期状態判定ステップにより同期ロック状態にあると判定された場合、前記第１の比較判定ステップに移行し、前記同期信号と前記第１同期パターンとの比較の結果、前記同期信号が前記第１同期パターンの一と一致する場合、前記同期信号判定ステップは、前記同期信号検出と判定する一方、前記同期信号が前記第１同期パターンの一と一致しない場合、前記第２の比較判定ステップに移行し、前記同期信号と前記第２同期パターンとの比較の結果、前記同期信号が前記第２同期パターンの一と一致しない場合、前記第３の比較判定ステップに移行し、同期ロック状態で前記同期信号が前記第３同期パターンの一と一致しており、かつ、前記同期信号が次に検出されると想定される同期信号の時間的揺らぎ許容パターンであれば前記同期信号検出と判定する、
ことを特徴とする同期信号検出方法。
【請求項２１】
記録媒体上に所定ブロック毎に記録された異なるパターンの複数の同期信号を順次再生し、前記複数の同期信号を、コンピュータに検出させるタイミング信号生成プログラムであって、
前記コンピュータに、
前記同期信号の同期検出回数が所定値以上ある同期ロック状態の場合、および前記同期信号の同期検出回数が所定値未満である同期はずれ状態において前記同期信号が未検出の場合の少なくとも一方の場合に、前記複数の同期信号の各パターンと同じ複数の前記第１同期パターン、または前記複数の同期信号の各パターンに対し時間的揺らぎを有し、かつ、前記複数の同期信号の各パターンのうち一の同期パターンに特定される前記第２同期パターンと比較して、前記第１同期パターンまたは前記第２同期パターンの一と一致する場合、同期信号検出と判定させる、同期信号検出プログラム。
【発明の詳細な説明】
【技術分野】
【０００１】
本発明は、記録媒体上に所定ブロック毎に記録された異なるパターンの複数の同期信号を順次再生して、再生した複数の同期信号に基づき複数の同期信号に続くデータを読み取るためのタイミング信号を出力するタイミング信号検出方法、同期信号検出回路及びタイミング信号検出プログラムに関するものである。特に、本発明の実施の形態は、光記録媒体のトラックに沿って所定の変調方式で記録されたウォブルのパターンで表された複数の同期信号に続くデータを読み取るためのタイミング信号を出力する検出するためのタイミング信号検出方法、同期信号検出回路及びタイミング信号検出プログラムに関する。
【背景技術】
【０００２】
最近の記録媒体の一つである光記録媒体には、ＣＤ（Compact disc）やＤＶＤ(Digital versatile disc)等の再生型、ＣＤ−Ｒ（recordable）やＤＶＤ−Ｒ等の一回書き込み（ライトワンス）型、及びＣＤ−ＲＷ（rewritable）やＤＶＤ−ＲＡＭ（random access memory）やＤＶＤ−ＲＷ等の書き換え可能型等の種々の規格があるが、それぞれ記録フォーマットが異なっている。ここで、ＣＤ−ＲやＣＤ−ＲＷ等のＣＤ規格のライトワンス型光ディスクについては、トラックがグルーブ（案内溝）で形成されており、グルーブは一定周波数（２２.０５ｋＨｚ）でトラックを左右へ僅かにウォブリングしてある。
【０００３】
そして、そのウォブルはトラックの絶対位置を示すアドレス情報（ＡＴＩＰ）等を位相変調して記録したものであり、光ディスク装置では、光ピックアップからトラックに照射した集光スポットの反射光からウォブリング情報を検出し、情報の記録／再生時の光ディスクの回転制御信号や基準クロックを作成するための信号として用いる。
【０００４】
一方、ＤＶＤ−ＲやＤＶＤ−ＲＷ等においても、トラックがウォブリングされているが、ディスクのアドレス情報等はグルーブとグルーブの間のランド側にピットとして作り込まれており、ウォブルはディスクの回転制御のためのクロック情報（１４０ｋＨｚ）を与えるための無変調方式での記録になっている。
【０００５】
ところで、光ディスクのアドレス情報等やそのアドレス情報などを取り出すための同期信号は、所定の変調方式で変調されたウォブルによって表され、位相変調方式で記録されたウォブルの場合、ウォブリング情報の位相を反転させて情報の“０”と“１”を表したり、異なる位相のウォブルを組み合わせたパターンによって情報の“０”と“１”や同期信号を表したりする。変調された位相情報は、ウォブルから抽出したクロックによりウォブルを同期検波することで得られる。
【０００６】
ここで、光ディスク上に記録されたアドレス情報等は時分割多重されており、情報を正しく得るためには、正確に同期信号を検出することが必要である。従来より、同期信号のパターンをより正確に検出するために、ディジタル入力信号の中から真の同期信号パターンと全ビット一致する信号列を検出した時と、１ビット不一致の信号列を検出した時に、それぞれ同期パターン検出信号Ａ，Ｂを出力し、同期パターン検出信号Ａが本来の間隔で得られているかを判定し、同期はずれが判定された後の新たな同期信号が得られたときに第１のパルスを出力する第１の同期保護回路と、同期パターン検出信号Ｂが本来の間隔で得られているときにはその時間間隔の第２のパルスを同期信号として出力し、第１のパルスが入力された時には、その第１のパルスに同期させた同期信号を出力する第２の同期保護回路とからなる構成の同期信号検出回路が知られている（例えば、特許文献１参照）。これにより、バーストエラーやランダム符号誤りなどに起因する同期はずれや、擬似同期パターンの発生による擬似同期が起こりにくくできる。
【０００７】
【特許文献１】特開平５−１５１７０８号公報
【発明の開示】
【発明が解決しようとする課題】
【０００８】
しかしながら、光記録媒体等については、近年、益々高密度記録化が図られ、トラックの配列ピッチが益々狭小になってきており、それに起因してタイミング信号検出信号のＳ／Ｎ比やＣ／Ｎ比が低下する。従って、このように光ディスクに高密度記録されたウォブルを、特許文献１記載の同期検出回路で検出する場合には、隣接するウォブルからのクロストークに起因してウォブリング情報に劣化や位相の反転が生じ、その結果、同期検出の精度が悪化してウォブリング情報を正確に復調できなくなる可能性がある。また、光記録媒体等の記録媒体の劣化等によっても同様の問題が生じる場合がある。
【０００９】
本発明は、以上の点に鑑みなされたもので、記録媒体の劣化や高密度化等によって再生した同期信号にビットずれ等が生じても、同期信号を検出して、タイミング信号を生成することができるタイミング信号検出方法、同期信号検出回路及びタイミング信号検出プログラムを提供することを目的とする。
【課題を解決するための手段】
【００１０】
上記目的を達成するため、本発明の同期信号検出装置では、記録媒体上に所定ブロック毎に記録された異なるパターンの複数の同期信号を順次再生し、前記複数の同期信号を検出する同期信号検出装置であって、前記複数の同期信号の各パターンと同じ複数の第１同期パターンを記憶した第１の記憶部と、前記複数の同期信号の各パターンに対し時間的揺らぎを有し、かつ、前記複数の同期信号の各パターンのうち一のパターンに特定される第２同期パターンを記憶した第２の記憶部と、前記同期信号と前記第１同期パターンまたは前記第２同期パターンとを比較して、前記第１同期パターンまたは前記第２同期パターンの一と一致する場合、同期信号検出と判定する同期信号判定部と、を有する。
【００１１】
なお、上記同期信号検出装置において、さらに、前記複数の同期信号の各パターンに対し時間的揺らぎを有し、かつ、前記複数の同期信号の各パターンのうち二以上の同期パターンに特定される第３同期パターンを記憶した第３の記憶部を有し、前記同期信号判定部は、前記同期信号が前記第１同期パターンまたは前記第２同期パターンの一と一致しない場合、前記同期信号を前記第３同期パターンと比較して、前記同期信号が前記第３同期パターンの一と一致する場合、当該一致する一の第３同期パターンが前記同期信号の次に検出されると想定される同期信号の時間的揺らぎパターンである場合、同期信号検出と判定する、ようにしても勿論よい。
【００１２】
また、本発明の同期信号検出方法は、記録媒体上に所定ブロック毎に記録された異なるパターンの複数の同期信号を順次再生し、前記複数の同期信号を検出する同期信号検出方法であって、前記同期信号の同期検出回数が所定値以上ある同期ロック状態の場合、および前記同期信号の同期検出回数が所定値未満である同期はずれ状態において前記同期信号が未検出の場合の少なくとも一方の場合に、前記複数の同期信号の各パターンと同じ複数の前記第１同期パターン、または前記複数の同期信号の各パターンに対し時間的揺らぎを有し、かつ、前記複数の同期信号の各パターンのうち一の同期パターンに特定される前記第２同期パターンと比較して、前記第１同期パターンまたは前記第２同期パターンの一と一致する場合、同期信号検出と判定する。
【００１３】
また、本発明のタイミング信号生成プログラムは、記録媒体上に所定ブロック毎に記録された異なるパターンの複数の同期信号を順次再生し、前記複数の同期信号を、コンピュータに検出させるタイミング信号生成プログラムであって、前記コンピュータに、前記同期信号の同期検出回数が所定値以上ある同期ロック状態の場合、および前記同期信号の同期検出回数が所定値未満である同期はずれ状態において前記同期信号が未検出の場合の少なくとも一方の場合に、前記複数の同期信号の各パターンと同じ複数の前記第１同期パターン、または前記複数の同期信号の各パターンに対し時間的揺らぎを有し、かつ、前記複数の同期信号の各パターンのうち一の同期パターンに特定される前記第２同期パターンと比較して、前記第１同期パターンまたは前記第２同期パターンの一と一致する場合、同期信号検出と判定させる。
【発明の効果】
【００１４】
本発明によれば、記録媒体上に所定ブロック毎に記録された異なるパターンの複数の同期信号を順次再生して、再生した同期信号を第１同期パターンまたは第２同期パターンと比較して、第１同期パターンまたは第２同期パターンと一致する場合、タイミング信号検出と判定し、そのタイミング信号検出判定出力に基づいてタイミング信号を生成するようにしたので、記録媒体の劣化や高密度化等によって再生した同期信号にビットずれ等が生じても、同期信号を検出して、タイミング信号を生成することができる。
【発明を実施するための最良の形態】
【００１５】
以下、本発明の実施の形態を、図面に基づいて具体的に説明する。
【００１６】
実施の形態１.
図１は、本発明に係る同期信号検出装置の一実施の形態である同期信号検出回路を、適用した光ディスク装置のブロック図の構成例を示している。
【００１７】
同図において、光ディスク１は、最内周から最外周に亘って同心円状又は螺旋状に形成されているグルーブ溝と、このグルーブ溝間にそれぞれ連続形成されているランド部とを備え、トラック溝（グルーブ溝又はランド部の側縁）がウォブリング情報により微小に蛇行して形成されている（すなわち、ウォブルが施されている）。この光ディスク１の所定領域には、アドレスや記録再生条件などの基本情報がウォブリング情報として記録されている。
【００１８】
図２に、本実施の形態１におけるウォブリング情報の一例を示す。
【００１９】
ウォブリング情報は、例えば、図２に示すように、単位時間毎にブロック化されてアドレスや基本情報を表すデータＤＴと、データＤＴを検出するための異なるパターンを持つ複数の同期信号ＳＹ１〜ＳＹｎから構成されている。
【００２０】
光ピックアップ２は、光ディスク１にレーザビームを照射し、これにより得られた光ディスクからの反射光を受光して光電変換するものである。光ピックアップ２で反射光を光電変換して得られた読み取り信号は、再生アンプ３で増幅されてイコライザ４に入力される。イコライザ４は、読み取り信号に対して所定の波形等化を行うことにより、読み取り信号の波形歪みに起因して生じる符号間干渉を抑制するものである。
【００２１】
波形整形回路５は、イコライザ４の出力信号を整形してパルス信号に変換してＰＬＬ（Phase Locked Loop：位相同期ループ）６と同期検波回路７に供給するものである。ＰＬＬ６は周知のように、ＶＣＯ（Voltage Control Oscillator：電圧制御発振器）等を用いて、波形整形回路５からのパルス信号に位相同期した、すなわちウォブルに同期した基本周波数信号（基本クロック）を生成するものである。同期検波回路７は、このＰＬＬ６から出力される基本クロックに基づいて、波形整形回路５からのパルス信号中のウォブリング情報をサンプリングするものである。
【００２２】
同期信号検出回路８は、同期検波回路７によるサンプリングデータから得られるウォブルパターンより同期信号のパターンを検出して、その複数の同期信号に続くデータＤＴ等のデータを読み取るためのタイミング信号を出力するものである。
【００２３】
情報検出回路９は、同期検波回路７によるサンプリングデータから得られるウォブルパターンと、同期信号検出回路８により検出された同期信号のパターンおよび同期状態等に基づくタイミング信号とに基づいて、ウォブリング情報中のデータＤＴ等のデータを検出するものである。情報処理回路１０は、情報検出回路９により得られたデータを処理するものである。
【００２４】
ここで、本実施の形態の要部である同期信号検出回路８は、ウォブリング情報より再生されたウォブル波形パターンと同期信号パターンを比較するために、変調を施したウォブルの形態で順次切り替えられて記録再生される複数の同期信号の第１同期パターンを予め記憶しておく第１記憶部１１と、第１記憶部１１に記憶された第１同期パターンに対して時間的揺らぎ（ビットずれ）を許容するパターンの中で一の同期信号を特定できる第２パターンを記憶しておく第２記憶部１２と、第１記憶部１１に記憶された第１同期パターンに対して時間的揺らぎ（ビットずれ）を許容するパターンの中で複数の同期信号の中の一の同期信号に特定できないパターン、換言すると、予め定義した二以上の同期信号に特定される時間的揺らぎを許容した第３同期パターンを記憶しておく第３記憶部１３と、同期検波回路７で検出されたウォブリング情報中の同期信号パターンと第１記憶部１１に記憶された第１同期パターンとが一致しているかを比較する第１同期パターン比較部１４と、同期検波回路７で検出されたウォブリング情報パターン中の同期信号と第２記憶部１２に記憶された第２同期パターンとが一致しているかを比較する第２同期パターン比較部１５と、同期検波回路７で検出されたウォブリング情報中の同期信号パターンと第３記憶部１３に記憶された第３同期パターンとが一致しているかを比較する第３同期パターン比較部１６とを有している。
【００２５】
更に、同期信号検出回路８は、第１〜第３同期パターン比較部１４〜１６の比較結果と、同期状態判定部２０による同期状態判定結果、すなわち同期ロック状態もしくは同期はずれ状態とに基づいて同期信号の検出・未検出を判定する同期信号判定部１７と、同期信号判定部１７の判定結果より検出された同期信号を基に次の同期信号を検出するタイミング（検出窓）及び同期信号に続くデータを検出するタイミングを示すタイミング信号生成するタイミング信号生成部１８と、同期信号判定部１７の判定結果から次の同期信号検出タイミングで検出される同期信号を想定し、その想定した次の同期信号を第２同期パターン比較部１５および第３同期パターン比較部１６に設定する次同期信号想定部１９と、同期ロック状態判定カウンタ（図示せず）および同期はずれ状態判定カウンタ（図示せず）等の同期状態を保持しておくカウンタを内蔵し、同期信号判定部１７における同期信号の検出状態に基づいてそれらのカウンタ値をインクリメントあるいはリセットして同期ロック状態又は同期はずれ状態のどちらにあるかを判定する同期状態判定部２０とを有する。
【００２６】
図３は、本発明の実施の形態で用いる光ディスク１に記録するウォブル変調方法の例を示す。同図において、基本波であるモノトーンウォブルに対して１８０°位相の異なるウォブルの前後に、基本波の１.５倍波の波形を基本波の３周期の期間挿入することでＭＳＫ（minimum shift keying）マークを構成しており、基本波とＭＳＫマークの組み合わせによって、同期信号やアドレス情報等を表す。
【００２７】
図４は、図２に示すウォブリング情報におけるＭＳＫマークの検出信号等の一例を示す図である。
【００２８】
図４において、例えば、同期信号がＳＹ１〜ＳＹ３の３つあり、それぞれ、図４（ａ）に示すように、３つのＭＳＫマークｍ１、ｍ２、ｍ３から構成されているものとする。この場合、同期信号の検出間隔は、図４（ｂ）に示すようになり、図４（ｃ）に示すような同期信号検出タイミングを生成する。
【００２９】
図５は、本実施の形態における同期信号と、ＭＳＫマークおよびモノトーンウォブルとの関係を示す図である。
【００３０】
図５では、ＭＳＫマークを用いた同期信号ＳＹ１〜ＳＹ３の一例を示している。同期信号ＳＹ１〜ＳＹ３は、基本波のモノトーンウォブルと、三つのＭＳＫマークｍ１、ｍ２、ｍ３とにより構成される。同図（ａ）の最上部の数値はビット番号を示している。よって、同期信号ＳＹ１〜ＳＹ３は、それぞれ、例えば２８ビットの固定長で、３ビットのＭＳＫマークｍ１、ｍ２及びｍ３とそれらの間のモノトーンウォブルとの組み合わせから構成されていることを示している。同期信号ＳＹ１〜ＳＹ３は、ここでは、便宜上３種類で説明しているが、図２にＳＹ１〜ＳＹｎで示したようにｎ種類ある。同期信号の種類は、図５の例の場合、先頭のＭＳＫマークｍ１と最後尾のＭＳＫマークｍ３との間のＭＳＫマークｍ２の挿入位置によって定めている。なお、ＭＳＫマークｍ１〜ｍ３の値は、それぞれ同一であり、例えば「００１」である。また、モノトーンウォブルの１ビットの値は例えば「０」である。また、複数種類の同期信号は、その記録再生順序が予め規定されている。
【００３１】
この実施の形態においては、図１の同期検波回路７は、３ビットのＭＳＫマークを検出すると、ＭＳＫマークの３ビット目で所定論理値のＭＳＫマーク検出信号（同期パターン検出信号）を出力する。図５では、３種類の同期信号ＳＹ１〜ＳＹ３のＭＳＫマーク検出パターン（同期パターン）を示している。
【００３２】
つまり、図５において、同期信号ＳＹ１のウォブル構成の場合、ＭＳＫマーク検出信号が、０ビット目、１６ビット目、２５ビット目に検出されるので、そのＭＳＫマーク検出パターンを０−１６−２５と表す。
【００３３】
同様に、同期信号ＳＹ２のウォブル構成の場合、ＭＳＫマーク検出信号が、０ビット目、１８ビット目、２５ビット目に検出されるので、そのＭＳＫマーク検出パターンを０−１８−２５と表す。期信号ＳＹ３のウォブル構成の場合、ＭＳＫマーク検出信号が、０ビット目、２０ビット目、２５ビット目に検出されるので、そのＭＳＫマーク検出パターンを０−２０−２５と表す。
【００３４】
図６は、本実施の形態における第１同期パターン〜第３同期パターンの一例を示す図である。なお、図６では、図４に示すウォブリング情報のように、同期信号がＳＹ１〜ＳＹ３の３つの場合について説明している。
【００３５】
図６において、同期信号ＳＹ１〜同期信号ＳＹ３と同じパターンを有する第１同期パターンは、ＭＳＫマーク検出パターンの位置により示すと、図５に示す３つの同期信号ＳＹ１〜ＳＹ３とそれぞれ同様に、０−１６−２５、０−１８−２５、０−２０−２５という３つのパターンを有することになる。
【００３６】
この３つの同期信号ＳＹ１〜同期信号ＳＹ３あるいはその第１同期パターンに対してそれぞれ時間的揺らぎ（ビットずれ）を許容するが、同期信号ＳＹ１〜同期信号ＳＹ３の一に特定できる第２同期パターンは、同期信号ＳＹ１のパターンに対しては、例えば、０−１５−２５、０−１６−２４、０−１６−２６、０−１７−２６、および０−１５−２４のパターンとなる。
【００３７】
同様に、同期信号ＳＹ２のパターンに対しては、０−１７−２４、０−１８−２４、０−１８−２６、０−１９−２６のパターンとなり、同期信号ＳＹ３のパターンに対しては０−１９−２４、０−２０−２４、０−２０−２６、０−２１−２５、０−２１−２６のパターンとなる。
【００３８】
また、この３つの同期信号ＳＹ１〜同期信号ＳＹ３あるいはその第１同期パターンに対してそれぞれ時間的揺らぎ（ビットずれ）を許容するが、同期信号ＳＹ１〜同期信号ＳＹ３の一に特定できない、すなわち２以上の同期信号を特定する第３同期パターンは、同期信号ＳＹ１のパターンに対しては０−１７−２５、同期信号ＳＹ２のパターンに対しては０−１７−２５および０−１９−２５、同期信号ＳＹ３のパターンに対しては０−１９−２５のパターンとなる。
【００３９】
図７は、本実施の形態１における同期信号ＳＹ１と、第１〜第３同期パターンとの関係を示している。
【００４０】
ここで、同期信号ＳＹ１は、例えば、上述の通り、ＭＳＫマーク検出パターンが０−１６−２５であるとする。すると、図７（ａ）に示すように、０−１６−２５の第１同期パターン（図６参照）とは、同期信号ＳＹ１とすべてのビットで一致することとになる。
【００４１】
また、図７（ｂ）に示すように、ＭＳＫマーク検出パターンが０−１５−２５の第２同期パターン（図６参照）は、同期信号ＳＹ１と＃１５，＃１６の２箇所のビットで不一致になるが、２箇所での１ビットのずれに過ぎず、ＭＳＫマーク検出パターンが０−１８−２５、０−２０−２５の同期信号ＳＹ２、ＳＹ３とは２番目のＭＳＫマークｍ２がそれぞれ３ビット、５ビットもずれている。そのため、本実施の形態では、図７（ｂ）に示す０−１５−２５の第２同期パターンを、後述する一定条件下で、２番目のＭＳＫマークｍ２が１つ前にシフトした同期信号ＳＹ１と特定する。
【００４２】
また、図７（ｃ）に示すように、ＭＳＫマーク検出パターンが０−１７−２５の第３同期パターン（図６参照）は、同期信号ＳＹ１、ＳＹ２とそれぞれ＃１５，＃１６、＃１７，＃１８の２箇所のビットで不一致になり、ＭＳＫマーク検出パターンが０−１６−２５の同期信号ＳＹ１の２番目のＭＳＫマークｍ２が１つ後ろにシフトしたものか、あるいはＭＳＫマーク検出パターンが０−１８−２５の同期信号ＳＹ２の２番目のＭＳＫマークｍ２が１つ前にシフトしたものであるか特定できない。そのため、本実施の形態では、図７（ｃ）に示す０−１７−２５の第３同期パターンを、後述する一定条件下で、一の同期信号ＳＹ１またはＳＹ２と特定する。
【００４３】
次に、図１に示す本実施の形態の光ディスク装置の動作について、図８及び図９のフローチャートを参照して説明する。
【００４４】
図８及び図９は、本実施の形態１の光ディスク装置の動作を示すフローチャートである。
【００４５】
まず、図８において、図１の光ピックアップ２により、光ディスク１からの反射光を光電変換して得られた読み取り信号は、再生アンプ３で増幅されてイコライザ４に入力される。イコライザ４では、所定の波形等化を行いれて、読み取り信号の波形歪みに起因して生じる符号間干渉を抑制して、同期検波回路７と、波形整形回路５へ出力する。
【００４６】
波形整形回路５では、イコライザ４の出力信号中のウォブリング情報を再生して（ステップ１００）、パルス信号に変換し、ＰＬＬ（Phase Locked Loop：位相同期ループ）６へ供給する。ＰＬＬ６では、波形整形回路５からのパルス信号に位相同期した、すなわちウォブルに同期した基本周波数信号（基本クロック）を生成して、同期検波回路７と、同期信号検出回路８へ出力する（ステップ１０１）。
【００４７】
タイミング信号生成部１８の同期状態判定部２０は、ＰＬＬ６からの基本クロックの入力等に基づいて、同期ロック状態又は同期はずれ状態のどちらにあるかを判定するための同期ロック状態判定カウンタ（図示せず）および同期はずれ状態判定カウンタ（図示せず）を初期化、すなわちリセットする（ステップ１０２）。
【００４８】
同期検波回路７は、このＰＬＬ６から出力される基本クロックに基づいて、イコライザ４からのパルス信号中のウォブリング情報をサンプリングしてウォブルパターンを得て同期検波して同期信号検出回路８の第１同期パターン比較部１４、第２同期パターン比較部１５、および第３同期パターン比較部１６へ出力する（ステップ１０３）。なお、同期検波回路７は、これに限らず、波形整形回路５を介した波形整形後のパルス信号中のウォブリング情報をサンプリングしてＭＳＫマーク検出パターンを得て同期検波するようにしても勿論よい。また、同期検波回路７は、同期信号のＭＳＫマーク検出パターンを、いったん同期信号判定部１７へ出力し、同期信号判定部１７が適宜処理状況に応じて同期信号のＭＳＫマーク検出パターンを第１同期パターン比較部１４、第２同期パターン比較部１５、および第３同期パターン比較部１６へ出力して比較させるようにしても勿論よい。
【００４９】
同期信号検出回路８では、まず、同期信号判定部１７が、同期状態判定部２０における同期はずれ状態判定カウンタ（図示せず）の値に基づいて、現在、同期状態が同期はずれ状態にあるか否かを判定する（ステップ１０４）と共に、同期はずれ状態にあっても（ステップ１０４“Ｙ”）、同期信号未検出であるか否かを判定する（ステップ１０５）。なお、本実施の形態１では、後述するが、同期ロック状態は、同期信号が連続して所定回数以上、例えば、２回以上、第１〜第３同期パターンのいずれかの同期パターンと一致して同期ロック状態判定カウンタ（図示せず）の値が所定値、例えば、２以上になっている場合をいい、同期はずれ状態は、同期ロック状態に設定される前、および同期ロック状態から同期信号が連続して所定回数以上、例えば、２回以上、第１〜第３同期パターンのいずれかの同期パターンと一致せず、同期ロック状態判定カウンタ（図示せず）の値が所定値、例えば、２以上になっている場合をいう。
【００５０】
従って、例えば、最初に同期信号を検波して同期パターンと一致しているか否かを判定する場合には、同期信号が連続して所定回数以上同期パターンと一致していないので、同期信号が連続して所定回数以上同期パターンと一致するまでは、同期はずれ状態（ステップ１０４“Ｎ”）と判定されることになる。なお、ステップ１０５における同期信号が未検出であるか否か判定は、例えば、同期信号判定部１７がその内部や同期状態判定部２０内のキャッシュメモリ（図示せず）等に前回までの同期信号検出の結果をフラグ等を立てて記憶して判定し、同期状態判定部２０により同期はずれと判定された場合、例えば、同期はずれ状態判定カウンタ（図示せず）がリセットされた場合に、そのフラグ等をリセットするようにして判定すれば良いし、また、同期ロック状態判定カウンタ値を見て、ゼロならば同期信号未検出、ゼロ以外ならば同期信号検出と判定しても良い。
【００５１】
そして、同期信号判定部１７は、同期状態判定部２０における同期はずれ状態判定カウンタ（図示せず）に基づいて、現在、同期状態が同期はずれ状態にあると判定し（ステップ１０４“Ｙ”）、さらに同期信号判定部１７のキャッシュメモリ（図示せず）等により同期信号が未検出であると判定した場合（ステップ１０５“Ｙ”）、まずは、同期検波回路７からの同期信号のＭＳＫマーク検出パターンを第１同期パターン比較部１４に比較させる。
【００５２】
第１同期パターン比較部１４は、同期検波回路７からの同期信号ＳＹ１〜ＳＹ３のＭＳＫマーク検出パターンを、同期信号ＳＹ１〜ＳＹ３毎に、第１記憶部１１に予め記憶された複数の第１同期パターン（図６参照）と比較して（ステップ１０６）、一致する第１同期パターンがあるか否かを判断する（ステップ１０７）。つまり、本実施の形態の例では、同期信号ＳＹ１、ＳＹ２、ＳＹ３毎に、図６に示す０−１６−２５、０−１８−２５、０−２０−２５の３つの第１同期パターンの一に一致するか否かを判断する。
【００５３】
ここで、第１同期パターン比較部１４が第１記憶部１１に予め記憶された複数の第１同期パターンのどれにも一致しないと判断した場合（ステップ１０７“Ｎ”）、同期信号判定部１７は、同期ロック状態判定カウンタ（図示せず）をリセットして（ステップ１２５）、後述するステップ１２１以降の処理を行う。
【００５４】
これに対し、第１同期パターン比較部１４が同期検波回路７からの同期信号のＭＳＫマーク検出パターンが、第１記憶部１１に予め記憶された複数の第１同期パターンの一に一致すると判断した場合（ステップ１０７“Ｙ”）、同期信号判定部１７は、同期信号検出と判定し、同期信号の検出を同期状態判定部２０およびタイミング信号生成部１８へ出力する（ステップ１０８）。
【００５５】
すると、同期状態判定部２０は、同期ロック状態判定カウンタ（図示せず）をインクリメントすると共に（ステップ１０９）、同期はずれ状態判定カウンタ（図示せず）をリセットする（ステップ１１０）
【００５６】
また、同期信号判定部１７は、ステップ１０８にて同期信号検出と判定した同期信号の次に検出されると想定される同期信号をキャッシュメモリ（図示せず）等に設定する（ステップ１１１）。例えば、図４に示すように、同期信号がＳＹ１〜ＳＹ３の３つからなる場合、ステップ１０８にて同期信号ＳＹ２検出と判定した場合は、ステップ１１１では次に検出されると想定される同期信号として同期信号ＳＹ３を設定する一方、ステップ１０８にて同期信号ＳＹ３検出と判定した場合は、ステップ１１１では次に検出されると想定される同期信号として同期信号ＳＹ１を設定する。
【００５７】
次に、同期状態判定部２０は、同期ロック状態判定カウンタ（図示せず）のカウンタ値に基づいて所定数連続して同期信号が検出、すなわち同期信号が一致したか否かを判断し（ステップ１１２）、所定数（例えば、２回や３回等）以上連続して同期信号が一致していないと判定した場合（ステップ１１２“Ｎ”）、ステップ１０４に戻り、同期信号判定１７は、次の同期信号についてステップ１０４以降の処理を実行するようにする。よって、本実施の形態の例の場合、同期信号ＳＹ１、ＳＹ２，ＳＹ３、ＳＹ１、ＳＹ２，…毎に、ステップ１０４以降の処理が行われることになる。なお、この図８および図９に示す処理が開始した最初の同期信号ＳＹ１の場合、同期ロック状態に設定されていないし、それまで所定数（例えば、２回や３回等）以上連続して同期信号が検出されていないので、必ず、ステップ１１２にて“Ｎ”と判断される。
【００５８】
これに対し、同期ロック状態判定カウンタ（図示せず）のカウンタ値に基づいて、所定数以上連続して同期信号が一致していると判定した場合（ステップ１１２“Ｙ”）、同期状態判定部２０は、同期ロック状態と判定して、同期ロック状態判定結果をタイミング信号生成部１８へ出力する（ステップ１１３）。
【００５９】
すると、タイミング信号生成部１８は、ステップ１１３における同期状態判定部２０からの同期ロック状態判定出力と、ステップ１０８における同期信号判定部１７からの同期信号検出出力とに基づいて、同期信号に続くデータを読み取るためのタイミング信号を生成して、情報検出回路９へ出力する（ステップ１１４）。
【００６０】
その後は、ステップ１１２にて所定数以上連続して同期信号が一致していないと判定した場合（ステップ１１２“Ｎ”）と同様に、ステップ１０４に戻り、次の同期信号についてステップ１０４以降の処理が実行される。
【００６１】
図１０に、タイミング信号生成部１８が生成して情報検出回路９へ出力するタイミング信号の一例を示す。
【００６２】
図１０（ａ）は、同期信号ＳＹ２のとき同期信号判定部１７が同期信号検出と判定し、かつ、同期状態判定部２０が同期ロック状態と判定して、タイミング信号生成部１８がそれら双方の判定出力に基づいて出力する、同期信号ＳＹ１〜ＳＹ３に続くデータＤＡＴＡ１、ＤＡＴＡ２、ＤＡＴＡ３、…を読み取るためのタイミング信号を示している。
【００６３】
図１０（ｂ）は、同期信号ＳＹ３のとき同期信号判定部１７が同期信号検出と判定し、かつ、同期状態判定部２０が同期ロック状態と判定して、タイミング信号生成部１８がそれら双方の判定出力に基づいて出力するタイミング信号を示している。
【００６４】
さて、図８に戻り、ステップ１０４において、同期状態判定部２０は、同期はずれ状態判定カウンタ（図示せず）のカウンタ値に基づき、現在、同期はずれ状態にない、すなわち同期ロック状態にあると判定した場合（ステップ１０４“Ｎ”）、および、現在同期はずれ状態にあるが（ステップ１０４“Ｙ”）、同期信号が１つでも検出している場合（ステップ１０５“Ｎ”）、第１同期パターン比較部１４は、現在の同期信号について、同期信号検出タイミング内（図４（ｃ）参照）で、同期検波回路７からの同期信号のＭＳＫマーク検出パターンと、第１同期パターンとを比較する（ステップ１１５）。
【００６５】
ここで、ステップ１０６とステップ１１５とを比較すると、ステップ１１５では「同期信号検出タイミング内で」という条件があるのは、ステップ１０６における比較は、同期はずれ状態で（ステップ１０４“Ｙ”）、同期信号が未検出の場合であり（ステップ１０５“Ｙ”）、どのタイミングで同期信号がくるかはわからないので、全てのタイミングで同期信号のパターンを判別する必要がある。その一方、ステップ１１５は、同期ロック状態（ステップ１０４“Ｎ”）または同期はずれ状態だが（ステップ１０４“Ｙ”）、同期信号検出の場合であり（ステップ１０５“Ｎ”）、同期ロック状態または同期はずれ状態でも同期信号検出の状態であれば、その状態をもとに次に同期信号が検出されるタイミングが想定できるので、同期信号検出タイミング内で検出する。これにより、ステップ１１５では、同期信号の乱れなどが発生しても、同期信号の疑似パターンを誤検出することを防いで、同期信号の検出制度を向上させることができる。なお、ステップ１１５でも、ステップ１０６と同様に、全てのタイミングで同期信号のパターンを判別するようにしても勿論よい。
【００６６】
その結果、第１同期パターン比較部１４によって同期信号のＭＳＫマーク検出パターンが、第１記憶部１１に予め記憶された複数の第１同期パターンの一に一致すると判断された場合には（ステップ１１６“Ｙ”）、ステップ１０７にて一致すると判断された場合と同様に、図８のステップ１０８の処理へ移行する。
【００６７】
これに対し、同期信号のＭＳＫマーク検出パターンが第１記憶部１１に予め記憶された複数の第１同期パターンの一に一致しないと判断された場合（ステップ１１６“Ｎ”）、同期信号判定部１７は、第２同期パターン比較部１５に指示を送り、同期信号のＭＳＫマーク検出パターンを、時間的揺らぎを許容したものの同期信号ＳＹ１〜ＳＹ３の一に特定される複数の第２同期パターン（図６参照。図６では、第２同期パターンが１４個ある）と比較させ、一致するか否かを判定させる（ステップ１１７）。
【００６８】
ここで、同期信号のＭＳＫマーク検出パターンが複数の第２同期パターン（図６参照）の一に一致した場合（ステップ１１７“Ｙ”）、続いてその一致した一の第２同期パターンが、前回検出した同期信号の次に検出されると想定される同期信号の時間的揺らぎ許容パターンであるか否かを判定する（ステップ１２０）。具体的には、前回同期信号ＳＹ２が検出されている場合は、今回一致した一の第２同期パターンが、前回検出された同期信号ＳＹ２の次に検出されると想定される同期信号ＳＹ３の時間的揺らぎ許容パターンであるか否かを判定することになる。なお、前回の同期信号がＳＹ３である場合には、今回の同期信号はＳＹ１となる。
【００６９】
そして、今回一致した一の第２同期パターンが、前回検出した同期信号の次に検出されると想定される同期信号の時間的揺らぎ許容パターンであると判定された場合には（ステップ１２０“Ｙ”）、ステップ１０７にて一致すると判断された場合等と同様に、図８のステップ１０８の処理へ移行する。
【００７０】
これに対して、今回一致した一の第２同期パターンが、前回検出した同期信号の次に検出されると想定される同期信号の時間的揺らぎ許容パターンでないと判定した場合（ステップ１２０“Ｎ”）、同期信号判定部１７は、同期信号未検出と判定し（ステップ１２１）、同期はずれ状態判定カウンタ（図示せず）をインクリメントする（ステップ１２２）。
【００７１】
そして、同期状態判定部２０は、同期はずれ状態判定カウンタ（図示せず）に基づいて所定数連続して同期信号が未検出か否かを判定し（ステップ１２３）、所定数連続して同期信号が未検出であると判定した場合のみ（ステップ１２３“Ｙ”）、同期はずれ状態と判定して（ステップ１２４）、ステップ１０４に戻る。そして、次の同期信号についてステップ１０４以降の処理が実行される。なお、ステップ１２３は、これに限らず、所定数連続して同期信号を未検出の場合だけでなく、１回でも同期信号を未検出と判断した場合には、ステップ１２４に進み同期はずれと判定するようにしても勿論よい。
【００７２】
さて、ステップ１１７にて、同期信号のＭＳＫマーク検出パターンが複数の第２同期パターン（図６参照）の一に一致しない場合（ステップ１１７“Ｎ”）、さらに、同期状態判定部２０にて同期ロック状態であるか否かを判定する（ステップ１１８）。
【００７３】
ここで、同期ロック状態でないと判定した場合（ステップ１１８“Ｎ”）、同期信号判定部１７は、同期ロック状態判定カウンタ（図示せず）をリセットして（ステップ１２５）、その後、ステップ１２１の処理に移行して同期信号未検出と判定し、それ以降の処理を行う。
【００７４】
これに対し、同期状態判定部２０にて同期ロック状態であると判定されている場合（ステップ１１８“Ｙ”）、同期信号判定部１７は、第３同期パターン比較部１６へ指示を送り、同期信号ＳＹ１〜ＳＹ３に対し時間的揺らぎを許容したもののその同期信号ＳＹ１〜ＳＹ３の一に特定不可能な、すなわち２以上の同期信号ＳＹ１〜ＳＹ３に特定される複数の第３同期パターン（図６参照。図６では、第３同期パターンが２個のみ）を、検波した同期信号のＭＳＫマーク検出パターンと比較させ、一致するか否かを判定させる（ステップ１１９）。
【００７５】
そして、同期ロック状態であっても（ステップ１１８“Ｙ”）、同期信号のＭＳＫマーク検出パターンが第３同期パターンと一致しない場合には（ステップ１１９“Ｎ”）、同期ロック状態でない場合（ステップ１１８“Ｎ”）と同様に、同期信号判定部１７は、同期ロック状態判定カウンタ（図示せず）をリセットし（ステップ１２５）、その後、ステップ１２１の処理に移行して同期信号未検出と判定し、それ以降の処理を行う。
【００７６】
一方、同期ロック状態であり（ステップ１１８“Ｙ”）、かつ、同期信号のＭＳＫマーク検出パターンが第３同期パターンの一と一致する場合には（ステップ１１９“Ｙ”）、同期信号のＭＳＫマーク検出パターンが複数の第２同期パターンの一に一致した場合（ステップ１１７“Ｙ”）と同様に、ステップ１２０へ移行して、その一致した一の第３同期パターンが、前回検出または一致した同期信号の次に検出されると想定される同期信号の時間的揺らぎ許容パターンであるか否かを判定し、このステップ１２０移行の処理を行う。これで図８および図９に示す動作の説明は、終了する。
【００７７】
次に、同期信号のＭＳＫマーク検出パターンが第２同期パターンおよび第３同期パターンと一致した場合において、同期信号ＳＹ１と特定する場合について説明する。
【００７８】
図１１は、同期検波回路７にて検波された同期信号のＭＳＫマーク検出パターン０−１５−２５を、同期信号ＳＹ１の第１同期パターン０−１６−２５、またはその第２同期パターン（図６参照）の一のパターン０−１５−２５と比較した場合を示している。
【００７９】
図１１（ａ）は、同期信号のＭＳＫマーク検出パターン０−１６−２５における２つ目のＭＳＫマークｍ２が、ウォブリング情報検出状態が悪く、前に１ビットずれを起こしたパターンとなった場合等を示しており、ビット番号「０」、「１５」、「２５」でＭＳＫマーク検出信号が出力されている。
【００８０】
図１１（ａ）に示す場合は、同期信号のＭＳＫマーク検出パターン０−１５−２５を、同期信号ＳＹ１のＭＳＫマーク検出パターン０−１６−２５と比較した際に、１５ビット目、１６ビット目の２ビットの不一致があり、同期信号ＳＹ１検出と判定しない場合を示している。なお、この場合は、図８のフローチャートにおいて、ステップ１０４にて同期はずれ状態と判定され（ステップ１０４“Ｎ”）、かつ、続くステップ１０５にて、前回、同期信号未検出と判定され（ステップ１０５“Ｎ”）、ステップ１０７にて一致する第１同期パターンなしと判定された場合（ステップ１０７“Ｎ”）、および、ステップ１０４にて同期ロック状態と判定され（ステップ１０４“Ｎ”）、また現在、同期はずれ状態にあるが（ステップ１０４“Ｙ”）、前回、同期信号が１つでも検出と判定され（ステップ１０５“Ｎ”）、ステップ１１６にて一致する第１同期パターンなし（ステップ１１６“Ｎ”）、と判定された場合である。
【００８１】
図１１（ｂ）に示す場合は、同期信号のＭＳＫマーク検出パターン０−１５−２５が、同期信号ＳＹ１の時間的揺らぎを許容して当該同期信号ＳＹ１を特定される第２同期パターン（図６参照）の一のパターン０−１５−２５と比較した場合を示しており、第１同期パターン０−１６−２５とは、１５ビット目、１６ビット目が不一致であるものの、第２同期パターン（図６参照）０−１５−２５とは完全に一致しており、同期信号ＳＹ１検出と判定する場合を示している。
【００８２】
この場合は、図８のフローチャートにおいて、ステップ１１６にて一致する第１同期パターンがないものの（ステップ１１６“Ｎ”）、一致する第２同期パターンがあり（ステップ１１７“Ｙ”）、かつ、次に検出されると想定される同期信号（この場合、同期信号ＳＹ１）の時間的揺らぎパターンであると判定された場合（ステップ１２０“Ｙ”）である。つまり、次に検出されると想定される同期信号ＳＹ１の時間的揺らぎパターンであると判定されれば、同期信号ＳＹ１の２つ目のＭＳＫマークが前に１ビットずれを起こしたものと特定できるからである。
【００８３】
図１２は、同期検波回路７にて検波された同期信号のＭＳＫマーク検出パターン０−１７−２５を、その第１同期パターン０−１６−２５、またはその第３同期パターンの一のパターン０−１７−２５と比較した場合を示している。
【００８４】
図１２（ａ）は、同期信号のＭＳＫマーク検出パターン０−１６−２５における２つ目のＭＳＫマークｍ２が、ウォブリング情報検出状態が悪く、後ろに１ビットずれを起こしたパターンとなった場合等を示しており、ビット番号「０」、「１７」、「２５」でＭＳＫマーク検出信号が出力されている。
【００８５】
図１２（ａ）に示す場合は、同期信号のＭＳＫマーク検出パターン０−１７−２５を、同期信号ＳＹ１のＭＳＫマーク検出パターン０−１６−２５と比較した際、１６ビット目、１７ビット目の２ビットの不一致があり、同期信号ＳＹ１検出と判定しない場合を示している。なお、この場合は、図１１（ａ）に示す場合と同様の場合に起きる。
【００８６】
図１２（ｂ）に示す場合は、同期信号のＭＳＫマーク検出パターン０−１７−２５が、２つの同期信号（この場合、同期信号ＳＹ１，ＳＹ２）に対し時間的揺らぎを許容し、一の同期信号ＳＹ１またはＳＹ２に特定不能な第３同期パターン（図６参照）の一のパターン０−１７−２５と比較して一致した場合を示しており、同期信号ＳＹ１検出と判定する場合を示している。
【００８７】
ただし、この場合、同期信号のＭＳＫマーク検出パターン０−１７−２５は、同期信号ＳＹ１の２つ目のＭＳＫマークが後に１ビットずれを起こしたのか、同期信号ＳＹ２の２つ目のＭＳＫマークが前に１ビットずれを起こしたのかを特定することができない。しかしながら、本実施の形態１の場合、それまで同期ロック状態にあって、そのパターンが次に検出されると想定される同期信号ＳＹ１の時間的揺らぎ許容パターンと判定されれば、同期信号ＳＹ１の２つ目のＭＳＫマークが後に１ビットずれを起こしたものと特定できる。他方、同期ロック状態において、そのパターンが次に検出されると想定される同期信号ＳＹ２の時間的揺らぎ許容パターンと判定されれば、同期信号ＳＹ２の２つ目のＭＳＫマークが前に１ビットずれを起こしたものと特定できる。
【００８８】
なお、この場合は、図８のフローチャートにおいて、ステップ１０４にて同期ロック状態と判定された場合（ステップ１０４“Ｎ”）、および、現在、同期はずれ状態にあるが（ステップ１０４“Ｙ”）、前回、同期信号が１つでも検出と判定された場合において（ステップ１０５“Ｎ”）、一致する第１同期パターンがなく（ステップ１１６“Ｎ”）、また一致する第２同期パターンもなく（ステップ１１７“Ｎ”）、同期ロック状態で（ステップ１１８“Ｙ”）、一致する第３同期パターンがあり（ステップ１１９“Ｙ”）、かつ、次に検出されると想定される同期信号（この場合、同期信号ＳＹ１）の時間的揺らぎパターンであると判定された場合（ステップ１２０“Ｙ”）である。
【００８９】
このように、本実施の形態１によれば、複数の同期信号と同じ第１同期パターンだけではなく、複数の同期信号に対し時間的揺らぎを許容したパターンを予め想定して記憶させておき、ウォブリング情報検出状態の劣化による同期信号のＭＳＫマーク検出パターンとして時間的揺らぎを許容することで、同期外れ状態または同期ロック状態、タイミング信号検出タイミング内、さらには次に検出される同期信号パターンを想定するという条件を判定することにより、同期信号のＭＳＫマーク検出パターンとして時間的揺らぎ（ビットずれ）が生じたパターンを検出した場合でも、同期信号を検出することができ、同期信号の検出漏れを防ぎ、タイミング信号生成の性能を大幅に向上させることができる。
【００９０】
その結果、本実施の形態１によれば、隣接するウォブルからのクロストークや、光記録媒体そのものの劣化により同期検波の精度が悪化することで、検出される同期パターンに時間的揺らぎ（ビットずれ）が発生する状況下で、ウォブリング情報の歪や反転によって検出される同期パターンに歪みが生じても、同期状態を精度良く検出でき、データウォブル列の記録情報を正確、かつ、安定的に復調することが可能となる。
【００９１】
また、本実施の形態１では、複数の同期信号に対し時間的揺らぎを生じた同期パターンとして、複数の同期信号の各パターンに対し時間的揺らぎを有し、かつ、複数の同期信号の各パターンのうち一のパターンに特定される第２同期パターンと、複数の同期信号の各パターンに対し時間的揺らぎを有し、かつ、複数の同期信号の各パターンのうち二以上の同期パターンに特定される第３同期パターンとを予め記憶しておき、上述したように、同期ロック状態または同期はずれ状態、それまでの同期信号検出状態、次に検出される同期信号パターンを想定するという条件等を判定することにより、同期信号のＭＳＫマーク検出パターンとして時間的揺らぎ（ビットずれ）が生じたパターンを検出した場合でも、確実に同期信号を検出することができ、同期信号の検出漏れを防ぎ、タイミング信号生成の性能を大幅に向上させることができる。
【００９２】
実施の形態２．  次に、本発明の実施の形態２について説明する。なお、本実施の形態２の光ディスク装置の基本的な構成は、図１に示す実施の形態の光ディスク装置と同じであり、動作のみが異なるので、図１に示す実施の形態の光ディスク装置の構成図を参照して、特徴ある動作のみを説明する。
【００９３】
図１３は、実施の形態２の光ディスク装置の後半部分の動作を示すフローチャートである。
【００９４】
本実施の形態２の光ディスク装置では、実施の形態１と同じ図８に示す処理の後、図１３に示す処理を行う。
【００９５】
つまり、実施の形態１では、図９のステップ１１２に示すように、同期状態判定部２０は、同期ロック状態判定カウンタ（図示せず）のカウンタ値に基づいて所定数連続して同期信号が検出、すなわち同期信号が一致したか否かを判断しているが、本実施の形態２では、図１３のステップ２０１に示すように、同期状態判定部２０は、同期ロック状態判定カウンタ（図示せず）のカウンタ値に基づいて所定時間内に所定数以上の同期信号が検出、すなわち同期信号が一致したか否かを判断している。
【００９６】
図１４に、本実施の形態２におけるウォブリング情報と、所定時間等との関係の一例を示す。
【００９７】
図１４に示すように、図１３のステップ２０１の判断における所定時間は、複数の同期信号ＳＹ１〜ＳＹｎが正常に検出される時間範囲である。また、図１３のステップ２０１の判断における所定数は、例えば、ｎが５で、同期信号がＳＹ１〜ＳＹ５の５つからなる場合、例えば、３とすることができる。
【００９８】
また、実施の形態１では、図９のステップ１２３，１２４に示すように、同期状態判定部２０は、同期はずれ状態判定カウンタ（図示せず）に基づいて所定数連続して同期信号が未検出か否かを判定し（ステップ１２３）、所定数連続して同期信号が未検出であると判定した場合のみ（ステップ１２３“Ｙ”）、同期はずれ状態と判定して（ステップ１２４）、ステップ１０４に戻るとしているが、本実施の形態２では、図１３のステップ２０２〜２０５の処理を行った後、ステップ１０４に戻る。
【００９９】
つまり、本実施の形態２では、同期状態判定部２０は、同期はずれ状態判定カウンタ（図示せず）に基づいて所定時間内に所定数以上の同期信号が未検出か否かを判定し（ステップ２０２）、所定時間内に所定数以上の同期信号が未検出の場合（ステップ２０２“Ｙ”）、同期はずれ状態と判定し（ステップ２０３）、同期ロック状態判定カウンタをリセットして（ステップ２０５）、ステップ１０４に戻る。
【０１００】
これに対し、同期はずれ状態判定カウンタ（図示せず）に基づいて所定時間内に所定数以上の同期信号が未検出である場合（ステップ２０２“Ｎ”）、および同期ロック状態判定カウンタ（図示せず）に基づいて所定時間内に所定数以上の同期信号が検出されていない場合において（ステップ２０１“Ｎ”）、その所定時間が経過した場合は（ステップ２０４“Ｙ”）、同期ロック状態判定カウンタをリセットして（ステップ２０５）、ステップ１０４に戻る一方、その所定時間が経過しない場合は（ステップ２０４“Ｎ”）、同期ロック状態判定カウンタをリセットせずに、ステップ１０４に直接戻るようにする。
【０１０１】
従って、本実施の形態２によれば、同期状態判定部２０が同期ロック状態判定カウンタ（図示せず）のカウンタ値等に基づいて所定時間内に所定数以上の同期信号が検出されたか否かにより同期ロック状態か否かを判定したり、同期はずれ状態判定カウンタ（図示せず）のカウンタ値等に基づいて所定時間内に所定数以上の同期信号が未検出か否かにより同期はずれ状態か否かを判定しても、上記実施の形態１の場合と同様に、同期信号のＭＳＫマーク検出パターンとして時間的揺らぎ（ビットずれ）が生じたパターンを検出した場合でも、同期信号を検出することができ、同期信号の検出漏れを防ぎ、タイミング信号生成の性能を大幅に向上させることができる。
【０１０２】
なお、本実施の形態２では、同期状態判定部２０が同期ロック状態判定カウンタ（図示せず）および同期はずれ状態判定カウンタ（図示せず）のカウンタ値等に基づいて所定時間内に所定数以上の同期信号の検出・未検出により同期ロックまたは同期はずれ状態を判定するように説明したが、これに限らず、例えば、同期ロック状態は、実施の形態２のように同期はずれ状態判定カウンタ（図示せず）のカウンタ値等に基づいて所定時間内に所定数以上の同期信号を検出した場合、同期ロック状態を判定する一方、同期はずれ状態は、実施の形態１のように同期ロック状態判定カウンタ（図示せず）のカウンタ値等に基づいて所定数連続して同期信号を未検出の場合や、１回でも同期信号を未検出の場合に同期はずれと判定したり、あるいはこの逆に同期ロック状態は実施の形態１の方法により判定し、同期はずれ状態は実施の形態２の方法により判定するようにしても勿論よい。このことは、後述する他の実施の形態３〜８でも同様である。
【０１０３】
実施の形態３．
次に、本発明の実施の形態３について説明する。なお、基本的な構成は、図１に示す実施の形態の光ディスク装置と同じであり、動作のみが異なるので、図１に示す実施の形態の光ディスク装置の構成図を参照して、特徴ある動作のみを説明する。
【０１０４】
図１５および図１６は、本実施の形態３の光ディスク装置の動作を示すフローチャートである。
【０１０５】
実施の形態３の動作で、実施の形態１の動作と異なるのは、ステップ３０１にて“Ｙ”と判断した場合の移行先のみである。
【０１０６】
つまり、実施の形態１では、図８のステップ１１７にて、同期信号判定部１７は、同期信号のＭＳＫマーク検出パターンが複数の第２同期パターンの一に一致したと判定した場合（ステップ１１７“Ｙ”）、図９のステップ１２０の処理へ移行して、その一致した一の第２同期パターンが、前回検出または一致した同期信号の次に検出されると想定される同期信号の時間的揺らぎ許容パターンであるか否かを判定する。
【０１０７】
これに対し、本実施の形態３では、図１５のステップ３０１に示すように、同期信号判定部１７は、同期信号のＭＳＫマーク検出パターンが複数の第２同期パターンの一に一致したと判定した場合（ステップ３０１“Ｙ”）、図１６のステップ１０７へ移行して、同期信号検出と判定する。
【０１０８】
つまり、本実施の形態３の場合、同期信号のＭＳＫマーク検出パターンが複数の第２同期パターンの一に一致したと判定した場合（ステップ３０１“Ｙ”）、実施の形態1等の場合のように、その一致した一の第２同期パターンが、前回検出または一致した同期信号の次に検出されると想定される同期信号の時間的揺らぎ許容パターンであるか否かをさらに判定することなく、つまり、そのさらなる判定処理を省略して、同期信号検出と判定するようにしたものである。
【０１０９】
この点、同期信号検出の精度は、若干、実施の形態１の場合より落ちるものの、同期検波した同期信号のＭＳＫマーク検出パターンが１の同期信号と特定される第２同期パターンに一致しているので、実施の形態１の場合と比べ、ステップ１２０の判定処理を省略することにより、簡単かつ迅速に同期信号検出と判定することが可能となる。
【０１１０】
従って、本実施の形態３によれば、上記実施の形態１等の場合と同様に、同期信号のＭＳＫマーク検出パターンとして時間的揺らぎ（ビットずれ）が生じたパターンを検出した場合でも、同期信号を検出することができ、同期信号の検出漏れを防ぎ、タイミング信号生成の性能を大幅に向上させることができると共に、同期信号のＭＳＫマーク検出パターンが複数の第２同期パターンの一に一致したと判定した場合、実施の形態1等の場合のように、その一致した一の第２同期パターンが、前回検出または一致した同期信号の次に検出されると想定される同期信号の時間的揺らぎ許容パターンであるか否かをさらに判定することなく、同期信号検出と判定するので、簡単かつ迅速に同期信号検出と判定することが可能となる。
【０１１１】
なお、本実施の形態３では、上記実施の形態１に対し、ステップ１１７の判定処理を、ステップ３０１の判定処理に置き換えて説明したが、上記実施の形態２に対し、ステップ１１７の判定処理を、ステップ３０１の判定処理に置き換えるようにしても勿論よい。この場合、図１６に示すステップ１２３，１２４の処理が、図１３のステップ２０２〜２０５の処理に置き換わることになる。
【０１１２】
実施の形態４．
【０１１３】
次に、本発明の実施の形態４について説明する。なお、基本的な構成は、図１に示す実施の形態の光ディスク装置と同じであり、動作のみが異なるので、図１に示す実施の形態の光ディスク装置の構成図を参照して、特徴ある動作のみを説明する。
【０１１４】
図１７は、本実施の形態４の光ディスク装置の前半の動作を示すフローチャートである。本実施の形態４では、図１７に示す動作を終了後、例えば、図９に示す動作を行う。
【０１１５】
図１７に示す実施の形態４の動作で、実施の形態１の動作と異なるのは、図８に示す実施の形態１のステップ１０５の判断ステップを、本実施の形態４では、省略した点である。つまり、本実施の形態４では、ステップ１０４にて同期はずれ状態にあると判定した場合には、さらに、続くステップ１０５により同期信号未検出か否かを判断することなく、一律に同期信号のＭＳＫマーク検出パターンを、第１同期パターンと比較するようにしたことを特徴とし、それ以外は実施の形態１と同様である。
【０１１６】
従って、本実施の形態４によれば、上記実施の形態１等の場合と同様に、同期信号のＭＳＫマーク検出パターンとして時間的揺らぎ（ビットずれ）が生じたパターンを検出した場合でも、同期信号を検出することができ、同期信号の検出漏れを防ぎ、タイミング信号生成の性能を大幅に向上させることができると共に、同期はずれ状態にあると判定した場合には、同期信号未検出か否かを判断することなく、一律に同期信号のＭＳＫマーク検出パターンを第１同期パターンと比較するようにしたので、実施の形態１の場合より、簡単に同期信号検出を判定することが可能となる。
【０１１７】
なお、本実施の形態４では、上記実施の形態１に対し、ステップ１０４、１０５の判定処理を、ステップ１０４のみの判定処理に置き換えて説明したが、上記実施の形態２，３に対し置き換えるようにしても勿論よい。
実施の形態５．
【０１１８】
次に、本発明の実施の形態５について説明する。なお、基本的な構成は、図１に示す実施の形態の光ディスク装置と同じであり、動作のみが異なるので、図１に示す実施の形態の光ディスク装置の構成図を参照して、特徴ある動作のみを説明する。
【０１１９】
図１８は、本実施の形態５の光ディスク装置の前半の動作を示すフローチャートである。本実施の形態５では、図１８に示す動作を終了後、例えば、図９に示す動作を行う。
【０１２０】
図１８に示す実施の形態４の動作で、実施の形態１の動作と異なるのは、図８に示す実施の形態１のステップ１０４とステップ１０５の判断ステップを、本実施の形態４では、ステップ４０１にて１以上の同期信号が検出されたか否か、という判断ステップにより、置き換えた点である。実質的には、図８に示す実施の形態１のステップ１０４とステップ１０５の判断ステップと、図１８に示すステップ４０１とは同一となる。
【０１２１】
従って、本実施の形態５によれば、上記実施の形態１等の場合と同様に、同期信号のＭＳＫマーク検出パターンとして時間的揺らぎ（ビットずれ）が生じたパターンを検出した場合でも、同期信号を検出することができ、同期信号の検出漏れを防ぎ、タイミング信号生成の性能を大幅に向上させることができる。
【０１２２】
なお、本実施の形態５では、上記実施の形態１に対し、ステップ１０４、１０５の判定処理を、ステップ４０１の判定処理に置き換えて説明したが、上記実施の形態２，３に対し置き換えるようにしても勿論よい。
実施の形態６．
【０１２３】
次に、本発明の実施の形態６について説明する。なお、基本的な構成は、図１に示す実施の形態の光ディスク装置と同じであり、動作のみが異なるので、図１に示す実施の形態の光ディスク装置の構成図を参照して、特徴ある動作のみを説明する。
【０１２４】
上記実施の形態１〜４では、同期検波した同期信号のＭＳＫマーク検出パターンが第２同期パターンに一致しない場合、図９のステップ１１９に示すように、第３同期パターン比較部１６が、同期検波した同期信号のＭＳＫマーク検出パターンを、第３の記憶部１３に記憶された第３同期パターンと比較して、一致する第３同期パターンがあるか否かを判定するように説明したが、本実施の形態６では、同期検波した同期信号のＭＳＫマーク検出パターンと第３同期パターンとの比較するステップ１１９の処理等を省略したことを特徴とする。
【０１２５】
図１９に、本実施の形態６の光ディスク装置の後半の動作を示すフローチャートである。
【０１２６】
図１９に示す本実施の形態６の光ディスク装置の後半の動作は、本実施の形態６の光ディスク装置の前半の動作が、例えば、図８に示す実施の形態１のものと同じである場合を示している。つまり、図８のステップ１１７にて、同期信号判定部１７により同期信号のＭＳＫマーク検出パターンが複数の第２同期パターンの一に一致すると判定された場合（ステップ１１７“Ｙ”）、本実施の形態６の場合、図１６のステップ１１８，１１９の判断処理を省略して、ステップ１２０の処理に移行する一方、複数の第２同期パターンの一に一致しないと判定された場合（ステップ１１７“Ｎ”）、同期信号未検出と判定する（ステップ１２１）。
【０１２７】
これにより、同期信号検出の確立は、若干、第３同期パターンとも比較をする実施の形態１〜４の場合より落ちるものの、図１６のステップ１１８，１１９の判断処理を省略することにより、実施の形態１〜４の場合と比べ、簡単かつ迅速に同期信号検出を判定することが可能となる。
【０１２８】
図２０に、本実施の形態６の光ディスク装置の後半の動作の他の例を示すフローチャートである。
【０１２９】
図２０に示す本実施の形態６の光ディスク装置の後半の他の動作は、本実施の形態６の光ディスク装置の前半の動作が、例えば、図１５に示す実施の形態３のものと同じである場合を示している。つまり、図１５のステップ３０１にて、同期信号判定部１７により同期信号のＭＳＫマーク検出パターンが複数の第２同期パターンの一に一致しないと判定された場合（ステップ３０１“Ｎ”）、同期信号未検出と判定する（ステップ１２１）。
【０１３０】
この本実施の形態６の光ディスク装置の後半の動作の他の例では、図１６のステップ１１８，１１９の判断処理だけでなく、図１６のステップ１２０の判定処理も省略したものであるこの点、同期信号検出の精度は、若干、図１９に示す場合より落ちるものの、図１９に示す場合と比べ、ステップ１２０の判定処理を省略することにより、簡単かつ迅速に同期信号検出と判定することが可能となる。
【０１３１】
従って、本実施の形態６によれば、上記実施の形態１〜４等の場合と同様に、同期信号のＭＳＫマーク検出パターンとして時間的揺らぎ（ビットずれ）が生じたパターンを検出した場合でも、同期信号を検出することができ、同期信号の検出漏れを防ぎ、タイミング信号生成の性能を大幅に向上させることができると共に、図１６のステップ１１８，１１９、さらにはステップ１２０の判断処理を省略したことにより、実施の形態１〜５の場合より、より簡単かつ迅速に同期信号検出を判定することが可能となる。
【０１３２】
実施の形態７．
次に、本発明の実施の形態７について説明する。上記実施の形態１〜６では、同期状態判定部２０が同期ロック状態か同期はずれ状態かを判定するため、同期ロック状態判定カウンタ（図示せず）と同期はずれ状態判定カウンタ（図示せず）の２つを有するものとして説明したが、本実施の形態７では、１つの同期状態判定カウンタ（図示せず）により、同期ロック状態か同期はずれ状態かを判定するようにしたものである。なお、基本的な構成は、図１に示す実施の形態の光ディスク装置と同じであり、動作のみが異なるので、図１に示す実施の形態の光ディスク装置の構成図を参照して、特徴ある動作のみを説明する。
【０１３３】
図２１および図２２は、実施の形態７の光ディスク装置の動作を示すフローチャートである。
【０１３４】
図８及び図９に示す実施の形態１の光ディスク装置の動作と異なる点を示せば、図２１では、ステップ１０２の代わりに、ステップ６０１により、同期状態判定カウンタを初期化している点である。
【０１３５】
これに対応して、図２２では、ステップ１０９、１１０の代わりに、ステップ６０２により、同期状態判定カウンタをインクリメントする一方、ステップ１２１により同期信号未検出と判定した場合、ステップ１２２、１２５の代わり、ステップ６０３により同期状態判定カウンタをリセットし、さらにステップ１２４により同期はずれ状態と判定することになる。
【０１３６】
よって、本実施の形態７の場合、同期状態判定部２０は、ステップ１１２では、同期状態判定カウンタの値が所定値以上か否かで所定数連続して同期信号が検出されたかを判定し、ステップ１２３では、同期状態判定カウンタの値が所定値未満か否かで所定数連続して同期信号が未検出か否かを判定する。
【０１３７】
従って、本実施の形態７によれば、上記実施の形態１〜５等の場合と同様に、同期信号のＭＳＫマーク検出パターンとして時間的揺らぎ（ビットずれ）が生じたパターンを検出した場合でも、同期信号を検出することができ、同期信号の検出漏れを防ぎ、タイミング信号生成の性能を大幅に向上させることができると共に、同期状態を判定するための同期状態判定カウンタを１つに省略することが可能となるので、上記実施の形態１〜５等の場合より、部品点数を削減することができる。
【０１３８】
ただし、上記実施の形態１〜６では、同期ロック状態か同期はずれ状態かを判定するため同期ロック状態判定カウンタ（図示せず）と同期はずれ状態判定カウンタ（図示せず）の２つ別々に有していたので、同期ロック状態において一度同期信号未検出と判定されても（例えば、図９のステップ１２１）、所定数連続して同期信号が未検出でなければ（例えば、図９のステップ１２１“Ｎ”）、同期はずれ状態と判定されないのに対し、本実施の形態７によれば、同期ロック状態において一度同期信号未検出と判定されれば、同期はずれ状態と判定されることになり、上記実施の形態１〜６より、若干動作の安定性が落ちることになる。
【０１３９】
実施の形態８．
次に、本発明の実施の形態８について説明する。
【０１４０】
上記実施の形態１〜６では、図４や図５に示すように、同期信号がＳＹ１〜ＳＹ３の３つの場合について説明したが、本実施の形態８では、同期信号がＳＹ１〜ＳＹ４の場合について説明する。なお、基本的な構成、およびそれ以外の動作は、図１に示す実施の形態の光ディスク装置と同じであるので、実施の形態の光ディスク装置の構成図やフローチャート等を参照して、特徴部分を説明する。
【０１４１】
図２３は、本実施の形態８における同期信号ＳＹ１〜ＳＹ４と、ＭＳＫマークおよびモノトーンウォブルとの関係を示す図である。実施の形態１の図５に対応している。
【０１４２】
図２３において、各同期信号ＳＹ１〜ＳＹ４は、図５に示す実施の形態１等の同期信号ＳＹ１〜ＳＹ３と同様に、３ビットのＭＳＫマークｍ１、ｍ２、ｍ３の３つと、それ以外のモノトーンウォブルから構成されている。しかし、同期信号の種類は、図５の例の場合、先頭のＭＳＫマークｍ１と最後尾のＭＳＫマークｍ３との間のＭＳＫマークｍ２の挿入位置によって定めているが、本実施の形態８では、図２３に示すように、２番目と、３番目のＭＳＫマークｍ２，ｍ３の挿入位置によって定めている。つまり、本実施の形態８では、各同期信号ＳＹ１〜ＳＹ４は、それぞれ、０−１６−２６、０−１８−２８、０−２０−３０、０−２２−３２、というＭＳＫマーク検出パターンであり、実施の形態１の同期信号ＳＹ１〜ＳＹ３とは異なり、３つ目のＭＳＫマークｍ３の挿入位置まで変えている。
【０１４３】
図２４は、本実施の形態８の各同期信号ＳＹ１〜ＳＹ４に対応する第１同期パターン〜第３同期パターンの一例を示す図である。実施の形態１の図６に対応している。
【０１４４】
図２４において、同期信号ＳＹ１〜同期信号ＳＹ３と同じパターンを有する第１同期パターンは、ＭＳＫマーク検出パターンの位置により示すと、図２３に示す３つの同期信号ＳＹ１〜ＳＹ３とそれぞれ同様に、０−１６−２６、０−１８−２８、０−２０−３０、０−２２−３２、という４つのパターンになる。
【０１４５】
この４つの第１同期パターンに対してそれぞれ時間的揺らぎ（ビットずれ）を許容するが、同期信号ＳＹ１〜同期信号ＳＹ４の一に特定できる第２同期パターンは、０−１６−２６のパターンに対しては、例えば、０−１５−２５、０−１７−２６、０−１６−２７、０−１６−２５、および０−１５−２６のパターンとなる。
【０１４６】
同様に、０−１８−２８のパターンに対しては、０−１９−２８、０−１８−２９、０−１８−２７、０−１７−２８のパターンとなり、０−２０−３０のパターンに対しては０−２１−３０、０−２０−３１、０−２０−２９、０−１９−３０のパターン、０−２２−３２のパターンに対しては、０−２３−３２、…０−２１−３２のパターンとなる。
【０１４７】
また、この４つの第１同期パターンに対してそれぞれ時間的揺らぎ（ビットずれ）を許容するが、同期信号ＳＹ１〜同期信号ＳＹ４の一に特定できない、すなわち２以上の同期信号を特定する第３同期パターンは、０−１６−２６のパターンに対しては０−１７−２７、０−１８−２８のパターンに対しては０−１７−２７および０−１９−２９、０−２０−３０のパターンに対しては０−１９−２９および０−２１−３１、０−２２−３２のパターンに対しては０−２１−３１のパターンとなる。
【０１４８】
図２５は、本実施の形態８における同期信号と、第１〜第３同期パターンとの関係を示している。実施の形態１の図７に対応している。
【０１４９】
ここで、同期信号ＳＹ１は、ＭＳＫマーク検出パターンが０−１６−２６であるので、図２５（ａ）に示すように、ＭＳＫマーク検出パターンが０−１６−２６の第１同期パターン（図２４参照）は、同期信号ＳＹ１とすべてのビットで一致することとになる。
【０１５０】
また、図２５（ｂ）に示すように、ＭＳＫマーク検出パターンが０−１５−２６の第２同期パターン（図２４参照）は、同期信号ＳＹ１と＃１５，＃１６の２箇所のビットで不一致になるが、１ビットのずれに過ぎず、ＭＳＫマーク検出パターンが０−１８−２８、０−２０−３０、０−２２−３２の同期信号ＳＹ２、ＳＹ３、ＳＹ４とは２番目、３番目のＭＳＫマークｍ２、ｍ３もそれぞれ２ビット以上ずれている。そのため、本実施の形態では、図２５（ｂ）に示すＭＳＫマーク検出パターンが０−１５−２６の第２同期パターンを、後述する一定条件下で、２番目のＭＳＫマークｍ２が１つ前にシフトした同期信号ＳＹ１と特定する。
【０１５１】
また、図２５（ｃ）に示すように、ＭＳＫマーク検出パターンが０−１７−２７の第３同期パターン（図２４参照）は、同期信号ＳＹ１とそれぞれ＃１６，＃１７、＃２６，＃２７の４箇所のビットで不一致になり、ＭＳＫマーク検出パターンが０−１６−２６の同期信号ＳＹ１のＭＳＫマークｍ２，ｍ３がそれぞれ１つ後ろに（もしくはｍ０が１つ前に）シフトしたものか、あるいはＭＳＫマーク検出パターンが０−１８−２８の同期信号ＳＹ２のＭＳＫマークｍ２，ｍ３がそれぞれ１つ前に（もしくはｍ０が１つ後ろに）シフトしたものであるか特定できない。
【０１５２】
そのため、本実施の形態では、図２５（ｃ）に示すＭＳＫマーク検出パターンが０−１７−２７の第３同期パターンを、後述する一定条件下で、一の同期信号ＳＹ１またはＳＹ２と特定する。
【０１５３】
図２６は、同期検波回路７にて検波された同期信号のＭＳＫマーク検出パターン０−１５−２６を、その第１同期パターン０−１６−２６または第２同期パターン（図２４参照）の一のパターン０−１５−２６と比較した場合を示している。実施の形態１の図１１に対応している。
【０１５４】
図２６（ａ）は、同期信号のＭＳＫマーク検出パターン０−１５−２６を、その第１同期パターン０−１６−２６と比較した場合、１５ビット目、１６ビット目の２ビットの不一致があり、同期信号ＳＹ１検出と判定しない場合を示している。なお、この場合は、図１１（ａ）に示す場合と同様に、ステップ１０７にて一致する第１同期パターンなしと判定された場合（ステップ１０７“Ｎ”）、およびステップ１１６にて一致する第１同期パターンなし（ステップ１１６“Ｎ”）と判定された場合である。
【０１５５】
図２６（ｂ）に示す場合は、同期信号のＭＳＫマーク検出パターン０−１５−２６を、同期信号ＳＹ１の時間的揺らぎを許容して当該同期信号ＳＹ１を特定される第２同期パターン（図２４参照）の一のパターン０−１５−２６と比較した場合を示しており、同期信号ＳＹ１のＭＳＫマーク検出パターン０−１６−２６とは、１５ビット目、１６ビット目が不一致であるものの、その第２同期パターンと一致しており、同期信号ＳＹ１検出と判定する場合を示している。
【０１５６】
この場合は、図１１（ｂ）に示す場合と同様に、図８のフローチャートにおいて、ステップ１１６にて一致する第１同期パターンがないものの（ステップ１１６“Ｎ”）、一致する第２同期パターンがあり（ステップ１１７“Ｙ”）、かつ、次に検出されると想定される同期信号（この場合、同期信号ＳＹ１）の時間的揺らぎパターンであると判定された場合（ステップ１２０“Ｙ”）である。つまり、検出される同期パターンが第１の同期パターンと想定されていれば、第１の同期パターンの２つ目のＭＳＫマークが前に１ビットずれを起こしたものと特定できる。
【０１５７】
図２７は、同期検波回路７にて検波された同期信号のＭＳＫマーク検出パターン０−１７−２７を、その第１同期パターン０−１６−２６またはその第３同期パターン（図６参照）の一のパターン０−１７−２７と比較した場合を示している。実施の形態１の図１２に対応している。
【０１５８】
図２７（ａ）は、同期信号のＭＳＫマーク検出パターン０−１７−２７を、その第１同期パターン０−１６−２６と比較した際、１６ビット目、１７ビット目の２ビットの不一致があり、同期信号ＳＹ１検出と判定しない場合を示している。なお、この場合は、図１１（ａ）に示す場合と同様の場合に起きる。
【０１５９】
図２７（ｂ）に示す場合は、同期信号のＭＳＫマーク検出パターン０−１７−２７が、２つの同期信号（この場合、同期信号ＳＹ１，ＳＹ２）に対し時間的揺らぎを許容し、一の同期信号ＳＹ１またはＳＹ２に特定不能な第３同期パターン（図２４参照）の一のパターン０−１７−２７と比較した場合を示している。同期信号ＳＹ１のＭＳＫマーク検出パターン０−１６−２６とは、１６ビット目、１７ビット目が不一致であるものの、その第３同期パターン（図６参照）０−１７−２７とは一致しており、同期信号ＳＹ１検出と判定する場合を示している。
【０１６０】
なお、この場合は、図８のフローチャートにおいて、ステップ１０４にて同期ロック状態と判定された場合（ステップ１０４“Ｎ”）、および、現在、同期はずれ状態にあるが（ステップ１０４“Ｙ”）、前回、同期信号が１つでも検出と判定された場合において（ステップ１０５“Ｎ”）、さらに一致する第１同期パターンがなく（ステップ１１６“Ｎ”）、一致する第２同期パターンもなく（ステップ１１７“Ｎ”）、同期ロック状態で（ステップ１１８“Ｙ”）、一致する第３同期パターンがあり（ステップ１１９“Ｙ”）、かつ、次に検出されると想定される同期信号（この場合、同期信号ＳＹ１）の時間的揺らぎパターンであると判定された場合（ステップ１２０“Ｙ”）である。
【０１６１】
従って、本実施の形態８によれば、同期信号がＳＹ１〜ＳＹ４の場合についても、上記実施の形態１〜７と同様の効果が得られる。
【０１６２】
なお、本発明は以上の実施の形態に限定されるものではなく、ＭＳＫマークの値やビット数は実施の形態のものに限定されるものではない。また、本発明はＭＳＫ以外のバイフェーズや鋸歯状波などで変調されたウォブリング情報も適用可能である。
【０１６３】
また、本実施の形態１〜８の説明では、同期信号検出装置としての同期検出回路８を、図１に示すように、同期信号判定部１７と、同期状態判定部２０とを分けて説明したが、本発明では、これに限らず、同期信号判定部１７と同期状態判定部２０とを一つの構成にして、同期信号の検出と同期状態の判定を１つの構成で行うようにしても勿論よい。この場合、同期信号判定部１７は、同期信号検出出力に同期ロック状態の判定出力を含めることにより、タイミング信号生成部１８は、同期信号判定部１７からの同期信号検出出力のみに基づいてタイミング信号を生成することになる。
【０１６４】
また、本実施の形態１〜８の説明では、同期信号検出装置を、図１に示すように、ハードウエアにより構成された同期信号検出回路８により説明したが、本発明では、これに限らず、メモリやＨＤＤ等に格納された同期信号検出プログラムをＣＰＵが実行することより、同期信号検出回路８の機能を達成するようにしても勿論よい。
【図面の簡単な説明】
【０１６５】
【図１】本発明に係る同期信号検出装置の一実施の形態である同期信号検出回路を適用した光ディスク装置の構成例を示すブロック図。
【図２】本実施の形態１におけるウォブリング情報の一例を示す。
【図３】本発明の実施の形態で用いる光ディスクに記録するウォブル変調方法の例を示す図。
【図４】図２に示すウォブリング情報におけるＭＳＫマークの検出信号等の一例を示す図である。
【図５】施の形態１における同期信号と、ＭＳＫマークおよびモノトーンウォブルとの関係を示す図である。
【図６】実施の形態１における第１同期パターン〜第３同期パターンの一例を示す図である。
【図７】実施の形態１における同期信号ＳＹ１と、第１〜第３同期パターンとの関係を示す図である。
【図８】実施の形態１の光ディスク装置の前半の動作を示すフローチャートである。
【図９】実施の形態１の光ディスク装置の後半の動作を示すフローチャートである。
【図１０】（ａ），（ｂ）それぞれ、タイミング信号生成部１８が生成して情報検出回路９へ出力するタイミング信号の一例を示す図である。
【図１１】（ａ），（ｂ）それぞれ、同期検波回路にて検波された同期信号のＭＳＫマーク検出パターンを、その第１同期パターンまたは第２同期パターンと比較した場合を示す図である。
【図１２】（ａ），（ｂ）それぞれ、同期検波回路にて検波された同期信号のＭＳＫマーク検出パターンを、その第１同期パターンまたは第３同期パターンと比較した場合を示す図である。
【図１３】実施の形態２の光ディスク装置の後半部分の動作を示すフローチャートである。
【図１４】実施の形態２におけるウォブリング情報と、所定時間等との関係の一例を示す図である。
【図１５】実施の形態３の光ディスク装置の前半の動作を示すフローチャートである。
【図１６】実施の形態３の光ディスク装置の後半の動作を示すフローチャートである。
【図１７】実施の形態４の光ディスク装置の前半の動作を示すフローチャートである。
【図１８】実施の形態５の光ディスク装置の前半の動作を示すフローチャートである。
【図１９】実施の形態６の光ディスク装置の後半の動作を示すフローチャートである。
【図２０】実施の形態６の光ディスク装置の後半の動作の他の例を示すフローチャートである。
【図２１】実施の形態７の光ディスク装置の前半の動作を示すフローチャートである。
【図２２】実施の形態７の光ディスク装置の後半の動作を示すフローチャートである。
【図２３】実施の形態８における同期信号ＳＹ１〜ＳＹ４と、ＭＳＫマークおよびモノトーンウォブルとの関係を示す図である。
【図２４】実施の形態８の各同期信号ＳＹ１〜ＳＹ４に対応する第１同期パターン〜第３同期パターンの一例を示す図である。
【図２５】（ａ）〜（ｃ）それぞれ、実施の形態８における同期信号と、第１〜第３同期パターンとの関係を示す図である。
【図２６】（ａ）,（ｂ）それぞれ、同期検波回路にて検波された同期信号のＭＳＫマーク検出パターンを、その第１同期パターンまたは第２同期パターンと比較した場合を示す図である。
【図２７】（ａ）,（ｂ）それぞれ、同期検波回路にて検波された同期信号のＭＳＫマーク検出パターンを、その第１同期パターンまたは第３同期パターンと比較した場合を示す図である。
【符号の説明】
【０１６６】
１  光ディスク
２  光ピックアップ
６  ＰＬＬ
７  同期検波回路
８  同期信号検出回路（同期信号検出装置）
９  情報検出回路
１０  情報処理回路
１１  第１記憶部
１２  第２記憶部
１３  第３記憶部
１４  第１同期パターン比較部
１５  第２同期パターン比較部
１６  第３同期パターン比較部
１７  同期信号判定部
１８  タイミング信号生成回路
１９  次同期信号想定部
２０  同期状態判定部
【図１】
2006164490.tif 000003
【図２】
2006164490.tif 000004
【図３】
2006164490.tif 000005
【図４】
2006164490.tif 000006
【図５】
2006164490.tif 000007
【図６】
2006164490.tif 000008
【図７】
2006164490.tif 000009
【図８】
2006164490.tif 000010
【図９】
2006164490.tif 000011
【図１０】
2006164490.tif 000012
【図１１】
2006164490.tif 000013
【図１２】
2006164490.tif 000014
【図１３】
2006164490.tif 000015
【図１４】
2006164490.tif 000016
【図１５】
2006164490.tif 000017
【図１６】
2006164490.tif 000018
【図１７】
2006164490.tif 000019
【図１８】
2006164490.tif 000020
【図１９】
2006164490.tif 000021
【図２０】
2006164490.tif 000022
【図２１】
2006164490.tif 000023
【図２２】
2006164490.tif 000024
【図２３】
2006164490.tif 000025
【図２４】
2006164490.tif 000026
【図２５】
2006164490.tif 000027
【図２６】
2006164490.tif 000028
【図２７】
2006164490.tif 000029